(57)【要約】      （修正有）【課題】収容した書類等を外部から視認することが可能になり、書類等の取出しあるいは収容を容易にすると共に、プリンターによる印刷が可能で、印刷時の紙詰まりのおそれも解消する紙製ホルダーを提供する。【解決手段】略矩形状を呈する適宜紙材で形成される裏面側紙シート１を形成する。略矩形状を呈する適宜紙材で表面側紙シート２を形成する。裏面側紙シート１と表面側紙シート２は、その一方が接着され、他方が開放状態となる。裏面側紙シート１は、透光性を有する紙材、或いは透光性を有しない紙材で形成する。【選択図】図１
0003220251.tif 000002
【実用新案登録請求の範囲】
【請求項１】
略矩形状を呈する適宜紙材で形成される裏面側紙シートと、略矩形状を呈する適宜紙材で形成されると共に、裏面側紙シートに重なるように配される表面側紙シートとからなり、
裏面側紙シートと表面側紙シートは、その一方の側縁部に形成した接着部と、その底縁部に形成した接着部とによって接着されて、その他方の側縁部及び上縁部が開放状態となり、
裏面側紙シートは、透光性を有する紙材、或いは透光性を有しない紙材で形成し、
表面側紙シートは、透光性を有する紙材、或いは透光性を有しない紙材で形成したことを特徴とする紙製ホルダー。
【請求項２】
表面側紙シートの開口側の側縁部の上部がわに略半円状の切欠部を切設すると共に、該切欠部が重なる裏面側紙シートの同一位置に、該切欠部と同一形状で且つ表面側紙シートと同じ素材で同じ厚みを備えた補強部を貼着した請求項１記載の紙製ホルダー。
【請求項３】
前記補強部表面に、該補強部の位置を示すマークを設けた請求項２記載の紙製ホルダー。
【請求項４】
前記裏面側紙シートを、表面側紙シートより厚く、且つ透光性を有しない適宜紙材で形成した請求項１又は２記載の紙製ホルダー。
【考案の詳細な説明】
【技術分野】
【０００１】
本考案は、例えば、適宜書類等の取出しや収容が容易となり、収容保持状態にある書類等がボルダーの上から視認でき、使い勝手が良く、しかも、構成が簡素で、量産に適し、低廉で、経済的で、印刷やその廃棄処理等も簡単に行えるように工夫した紙製ホルダーに関するものである。
【背景技術】
【０００２】
従来、この種のホルダーとしては、例えば、特許文献１のようなファイルが開示されている。このファイルは、ファイル本体が少なくとも表裏別体の２片からなり、該表裏両片の少なくとも一側縁部と下縁部とが所定幅にシールされたもので、更に、ファイル本体の両片がともに紙製シートからなる構成である。
【０００３】
一方、特許文献２に、ポリプロピレン等の弾性のあるシートを２枚重ねにした書類保管ファイルが示されている。このファイルは、表側のシートに半円的な形状の切り込みを入れ、この切り込みで形成された舌片部分を裏側のシートの側縁部分に係止することで、ファイルの開閉をロックするものである。
【先行技術文献】
【特許文献】
【０００４】
【特許文献１】特開２００３−２５７７８号公報
【特許文献２】実用新案登録第３１６３９７３号公報
【考案の概要】
【考案が解決しようとする課題】
【０００５】
ところが、特許文献１のようなファイルでは、収容した書類等を外部から視認することができない難点や、書類等の取出しや収容が行い難い難点、あるいは、プリンターによる印刷時に紙詰まりが生じるおそれがあるなどの難点があった。
【０００６】
一方、特許文献２のようなファイルでは、切り込みで形成された舌片部分で開閉をロックすることは可能でも、ポリプロピレン等の弾性のあるシートを使用することから、プリンターによる印刷はできない構成であった。
【０００７】
そこで本考案は、上述の課題を解消すべく案出されたもので、収容した書類等を外部から視認することが可能になり、書類等の取出しあるいは収容を容易にすると共に、プリンターによる印刷が可能で、しかも、印刷時に紙詰まりが生じるおそれを解消する紙製ホルダーの提供を目的とするものである。
【課題を解決するための手段】
【０００８】
上述の目的を達成すべく本考案における第１の手段は、略矩形状を呈する適宜紙材で形成される裏面側紙シート１と、略矩形状を呈する適宜紙材で形成されると共に、裏面側紙シート１に重なるように配される表面側紙シート２とからなり、裏面側紙シート１と表面側紙シート２は、その一方の側縁部に形成した接着部３と、その底縁部に形成した接着部４とによって接着されて、その他方の側縁部及び上縁部が開放状態となり、裏面側紙シート１は、透光性を有する紙材、或いは透光性を有しない紙材で形成し、表面側紙シート２は、透光性を有する紙材、或いは透光性を有しない紙材で形成したものである。
【０００９】
第２の手段は、表面側紙シート２の開口側の側縁部の上部がわに略半円状の切欠部５を切設すると共に、該切欠部５が重なる裏面側紙シート１の同一位置に、切欠部５と同一形状で且つ表面側紙シート２と同じ素材で同じ厚みを備えた補強部６を貼着している。
【００１０】
第３の手段は、前記補強部６の表面に、前記補強部６の位置を示すマーク６Ａを設けたことにある。
【００１１】
また、本考案の請求項４記載の紙製ホルダーにあっては、前記裏面側紙シート１を、表面側紙シート２より厚く、且つ透光性を有しない適宜紙材で形成する手段を採用した。
【考案の効果】
【００１２】
本考案の請求項１記載の紙製ホルダーによれば、略矩形状を呈する適宜紙材で形成される裏面側紙シート１と、略矩形状を呈する適宜紙材で形成されると共に、裏面側紙シート１に重なるように配される表面側紙シート２とからなり、裏面側紙シート１と表面側紙シート２は、その一方の側縁部に形成した接着部３と、その底縁部に形成した接着部４とによって接着されて、その他方の側縁部及び上縁部が開放状態となるので、構成が簡素で、製造し易く、量産に適し、低廉で、経済的な紙製ホルダーとなる。
【００１３】
また、裏面側紙シート１や表面側紙シート２にオフセット印刷等による適宜印刷や、プリンターによる印刷等が施し易いものとなる。しかも、筆記具によってホルダー表面に簡単に書き込むこともできるようになる。
【００１４】
更に、全てが紙製であるため、その製造が石油に依存しなくて済むようになると共に、廃棄処理等も簡単に行えるようになる。ひいては、環境に優しい紙製ホルダーとなる。
【００１５】
特に、表面側紙シート２は、透光性を有する紙材、或いは透光性を有しない紙材で形成し、裏面側紙シート１は、透光性を有する紙材、或いは透光性を有しない紙材で形成したので、表面側紙シート２や裏面側紙シート１が透光性を有する紙材の場合は、収容保持状態にある書類等を、表面側紙シート２や裏面側紙シート１の上から視認できるようになり、使い勝手の良い紙製ホルダーとなる。
【００１６】
更に、表面側紙シート２の開口側の側縁部の上部がわに略半円状の切欠部５を切設すると共に、該切欠部５が重なる裏面側紙シート１の同一位置に、切欠部５と同一形状で且つ表面側紙シート２と同じ素材で同じ厚みを備えた補強部６を貼着しているので、裏面側紙シート１上の切欠部５に指を当てる部分に厚みを加えることができる。この結果、裏面側紙シート１の開閉操作を容易にし、裏面側紙シート１で最も触れられる部分の強度を高める効果もある。
【００１７】
しかも、表面側紙シート２の切欠部５と裏面側紙シート１の切欠部５とが重合すると、切欠部５を形成した部分の表面側紙シート２と裏面側紙シート１との厚みが均一になる。この結果、プリンターによる印刷を施す場合に、切欠部５の段差が生じないので紙詰まり等を抑止する作用もある。
【００１８】
また、強部６の表面に、前記補強部６の位置を示すマーク６Ａを設けたことにより、切欠部５の位置を目立たせることも可能になるので、ホルダーとしての使い勝手を高めることができる。
【００１９】
更に、本考案の請求項４記載の紙製ホルダーによれば、表面側紙シート２より厚く形成した裏面側紙シート１によって、ホルダー全体の強度（及び剛性）を高められるようになり、収容保持状態の書類等を保護し易くなると共に、ホルダー自体がより取扱い易いものとなる。
【００２０】
しかも、裏面側紙シート１は、透光性を有しない適宜紙材で形成することで、かなり厚い紙材を利用できるようになると共に、表面側紙シート２と異なった質感等を表現できるようになり、興趣に富む紙製ホルダーを提供できるようになる。
【図面の簡単な説明】
【００２１】
【図１】本考案の紙製ホルダーの分解斜視図である。
【図２】本考案の紙製ホルダーの正面図である。
【図３】本考案の補強部を示す要部斜視図である。
【考案を実施するための形態】
【００２２】
以下、本考案を説明すると、次の通りである。
本考案は、主に、適宜書類等を収容保持できるようにした紙製ホルダーに係り、この紙製ホルダーは、略矩形状を呈する適宜紙材で形成される裏面側紙シート１と、略矩形状を呈する適宜紙材で形成されると共に、裏面側紙シート１に重なるように配される表面側紙シート２とからなっている。
【００２３】
そして、裏面側紙シート１と表面側紙シート２は、その一方の側縁部に形成した接着部３と、その底縁部に形成した接着部４とによって接着されて、その他方の側縁部及び上縁部が開放状態となっている。すなわち、この開放状態部分を利用して書類等を出し入れできるように形成してある。
【００２４】
加えて、裏面側紙シート１は、透光性を有する紙材、或いは透光性を有しない紙材で形成している。また、表面側紙シート２も、透光性を有する紙材、或いは透光性を有しない紙材で形成してある。したがって、表面側紙シート２や裏面側紙シート１が透光性を有する紙材の場合は、収容保持状態にある書類等を、表面側紙シート２や裏面側紙シート１の上から視認できるものである。
【００２５】
更に、表面側紙シート２の開口側の側縁部の上部がわに略半円状の切欠部５を切設している。この切欠部５は、例えば、略半円状を呈し、表面側紙シート２の他方の側縁部の上部がわに切設されている。すなわち、切欠部５を利用して手指により表面側紙シート２を摘み易くすると共に、表面側紙シート２を裏面側紙シート１から離し易くなるように形成したものである。
【００２６】
そして、この切欠部５が重なる裏面側紙シート１の同一位置に補強部６を貼着している。この補強部６は、切欠部５と同一形状で且つ表面側紙シート２と同じ素材で形成され、同じ厚みを有する部材である。この補強部６を貼り付けた裏面側紙シート１に表面側紙シート２を重ねると、この補強部６が切欠部５に嵌合して表面側紙シート２の表面がフラットになる。すなわち切欠部５の欠落部分を補強部６が補填する構成になっている（図３参照）。この結果、表面側紙シート２の切欠部５による凹みはなくなるので、プリンターによる印刷時の紙詰まりを防止する。
【００２７】
また、この補強部６の表面に、補強部６の位置を示すマーク６Ａを設けている。このマーク６Ａは、例えば補強部６の表面に印刷することが可能である。
【００２８】
前記裏面側紙シート１は、例えば、用紙や写真等の各種の所定サイズより僅かに大きい矩形シート状に形成されており、しかも、透光性を有する適宜紙材や、或いは透光性を有しない適宜紙材によって形成されている。
【００２９】
ところで、裏面側紙シート１が透光性を有しない紙材で形成されている場合、比較的厚い（少なくとも表面側紙シート２より厚い）紙材を利用して、ホルダー全体の強度（及び剛性）を高められるようにして、収容保持状態の書類等が保護し易くなるように形成したり、ホルダー自体が取扱い易くなるように形成したりすることができる。しかも、表面側紙シート２と異なった質感等を備えた紙材を利用できるようになり、興趣に富む紙製ホルダーを形成できるようになる。
【００３０】
前記表面側紙シート２は、例えば、用紙や写真等の各種の所定サイズより僅かに大きく且つ裏面側紙シート１に重なるように配置可能な矩形シート状に形成されており、しかも、透光性を有する紙材、或いは透光性を有しない適宜紙材によって形成されている。尚、表面側紙シート２が透光性を有する紙材の場合の透光性の度合いは、収容保持されている書類等の内容を表面側紙シート２の上から認識できる程度のものが好ましい。
【００３１】
前記接着部３は、例えば、裏面側紙シート１と表面側紙シート２の一方の側縁部に略細長帯状に形成されるもので、裏面側紙シート１と表面側紙シート２の一方の側縁部を確実且つ簡単に接着できるものであれば良い。しかも、この接着部３は、できる限り細く形成される方が望ましい。
【００３２】
前記接着部４は、例えば、裏面側紙シート１と表面側紙シート２の底縁部に略細長帯状に形成されるもので、裏面側紙シート１と表面側紙シート２の底縁部を確実且つ簡単に接着できるものであれば良い。しかも、この接着部４は、できる限り細く形成される方が望ましい。また、接着部４は、裏面側紙シート１と表面側紙シート２の一方の側縁部から所定距離分離れた位置から他方の側縁部に亙って形成され、裏面側紙シート１と表面側紙シート２の底縁部の一部を非接着部分としている（図１参照）。
【００３３】
尚、本考案紙製ホルダーの具体的構成、形状、寸法等は、図示例等に限定されるものではなく、各構成部位の設計変更等は、適宜自由に行えるものである。
【符号の説明】
【００３４】
１      裏面側紙シート
２      表面側紙シート
３      接着部
４      接着部
５      切欠部
６      補強部
６Ａ    マーク
【図１】
0003220251.tif 000003
【図２】
0003220251.tif 000004
【図３】
0003220251.tif 000005